【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
差動−シングルエンデッド・ビデオ母線受信装置であって、定電流源に結合され、出力を備え、相互コンダクタンスと供給される第１と第２のビデオ入力信号の差に比例するビデオ出力信号電流を供給する相互コンダクタンス増幅器と、
前記ビデオ入力信号をそれぞれのダイオード・スイッチを介して前記相互コンダクタンス増幅器のそれぞれの入力に結合させる１対のバッファ増幅器と、
前記相互コンダクタンス増幅器の前記出力をほぼ一定の電圧に調整し且つ前記出力信号電流を出力信号電圧に変換する出力回路とを含んでいる、前記受信装置。
【請求項２】
前記母線受信装置が電源端子を含み、
前記ダイオード・スイッチは、電源が前記電源端子に供給された時に前記差動ビデオ信号のために閉路を提供し、そうでない時は開路を提供するようにバイアスされる、請求項１に記載の装置。
【請求項３】
前記出力回路はベース接地増幅器を含み、該ベース接地増幅器は、前記ビデオ出力信号電流を受け取るために前記相互コンダクタンス増幅器の前記出力に結合され且つ零入力動作電流源にも結合される入力を備えると共に、前記ビデオ出力信号電圧を発生するために負荷に結合される出力を備えている、請求項１に記載の装置。
【請求項４】
前記バッファ増幅器の各々は、前記ビデオ入力信号のうちの１つが供給されるベースと、接地されたコレクタと、前記ダイオード・スイッチのうちの１つおよび負荷抵抗を介して供給電圧源に結合されるエミッタを有するＰＮＰトランジスタを含んでいる、請求項１に記載の装置。
【請求項５】
前記相互コンダクタンス増幅器は、それぞれのベース電極が前記第１と第２の差動ビデオ入力信号を受け取るように結合され、それぞれのエミッタ電極がそれぞれのエミッタ電流を受け取るように結合され且つ相互コンダクタンス制御抵抗を介して互いに結合されている第１および第２のトランジスタを備え、該第１のトランジスタのコレクタは供給電圧源に結合され、該第２のトランジスタのコレクタは前記相互コンダクタンス増幅器の出力端子に結合されている、請求項１に記載の装置。
【請求項６】
前記相互コンダクタンス増幅器は、前記差動ビデオ入力信号がベース電極に供給される第１および第２のトランジスタのエミッタ電極間に並列に結合される相互コンダクタンス制御抵抗と相互コンダクタンス・ピーキング・コンデンサを備え、前記各トランジスタのコレクタ電極はそれぞれのほぼ等しい一定の電圧を受け取るように結合されている、請求項１に記載の装置。
【請求項７】
定電流源に結合され、それぞれの差動入力信号を受け取る第１および第２の入力を備え、且つ前記差動入力信号の差に比例すると共に相互コンダクタンス増幅器内の相互コンダクタンス制御抵抗の値に反比例する出力電流を発生する出力を備えている前記相互コンダクタンス増幅器と、
前記第１および第２の差動入力信号をそれぞれ前記相互コンダクタンス増幅器のそれぞれの入力に結合させる１対のバッファ増幅器であって、各バッファ増幅器は、関連する入力バッファ・トランジスタのＶｂｅｒ  特性の最大値を超える拡張された正の入力電圧範囲が得られるように結合されたダイオードを含んでいる前記１対のバッファ増幅器と、
前記相互コンダクタンス増幅器の前記出力に結合され、該相互コンダクタンス増幅器の出力電圧をほぼ一定値に調整すると共に、負荷抵抗を含み、前記相互コンダクタンス増幅器の前記出力電流を該出力電流に比例する出力電圧に変換するための出力回路とから成る、差動−シングルエンデッド・ビデオ母線受信装置。
【請求項８】
前記出力回路は、前記相互コンダクタンス増幅器の前記出力電流および供給される零入力電流を受け取るように結合された入力を備え、且つ負荷抵抗を介して基準電位源に結合されて前記ビデオ出力信号電圧を発生する出力を備えるベース接地増幅器を含んでいる、請求項７に記載の装置。
【請求項９】
前記出力回路は、前記相互コンダクタンス増幅器の前記出力信号電流および供給される零入力バイアス電流を受け取るように結合された入力を備え且つ負荷抵抗を介して基準電位点に結合された出力を備える電流ミラー増幅器を含んでいる、請求項７に記載の装置。
【手続補正２】
【補正対象書類名】明細書
【補正対象項目名】０００７
【補正方法】変更
【補正の内容】
【０００７】
【課題を解決するための手段】本発明によるビデオ母線受信機は、一定値の相互コンダクタンスを有し、供給される第１と第２の差動ビデオ入力信号の差に比例するビデオ出力信号電流を発生する、差動相互コンダクタンス増幅器を含んでいる。１対のバッファ増幅器により、ビデオ入力信号は、電源停止状態で母線を分離するそれぞれのダイオード・スイッチを介して、差動相互コンダクタンス増幅器のそれぞれの入力に結合される。出力回路により、差動相互コンダクタンス増幅器の出力電圧はほぼ一定の電圧に調整され、出力信号電流は出力信号電圧に変換される。
特許請求の範囲に記載された事項と実施例との対応関係を、図面で使われている参照符号で示すと次の通りである。
（請求項１）  差動−シングルエンデッド・ビデオ母線受信装置であって、定電流源（４０）に結合され、出力（３５）を備え、相互コンダクタンス（ｇｍ）と供給される第１（Ｓ１）と第２（Ｓ２）のビデオ入力信号の差に比例するビデオ出力信号（Ｓ３）電流を供給する相互コンダクタンス増幅器（３０）と、前記ビデオ入力信号（Ｓ１、Ｓ２）をそれぞれのダイオード・スイッチ（ＣＲ１、ＣＲ２）を介して前記相互コンダクタンス増幅器（３０）のそれぞれの入力（３１、３２）に結合させる１対のバッファ増幅器（１０、２０）と、
前記相互コンダクタンス増幅器の前記出力をほぼ一定の電圧に調整し且つ前記出力信号電流を出力信号電圧に変換する出力回路（５０）とを含んでいる、前記受信装置。
（請求項２）  前記母線受信装置が電源端子（３）を含み、
前記ダイオード・スイッチ（ＣＲ１、ＣＲ２）は、電源が前記電源端子に供給された時に前記差動ビデオ信号（Ｓ１、Ｓ２）のために閉路を提供し、そうでない時は開路を提供するようにバイアスされる、請求項１に記載の装置。
（請求項３）  前記出力回路（５０）はベース接地増幅器を含み、該ベース接地増幅器は、前記ビデオ出力信号（Ｓ３）電流を受け取るために前記相互コンダクタンス増幅器の前記出力に結合され且つ零入力動作電流源にも結合される入力を備えると共に、前記ビデオ出力信号電圧を発生するために負荷に結合される出力を備えている、請求項１に記載の装置。
（請求項４）  前記バッファ増幅器（１０、２０）の各々は、前記ビデオ入力信号のうちの１つが供給されるベースと、接地されたコレクタと、前記ダイオード・スイッチのうちの１つおよび負荷抵抗を介して供給電圧源に結合されるエミッタを有するＰＮＰトランジスタ（Ｑ１、Ｑ２）を含んでいる、請求項１に記載の装置。
（請求項５）  前記相互コンダクタンス増幅器（３０）は、それぞれのベース電極が前記第１（Ｓ１）と第２（Ｓ２）の差動ビデオ入力信号を受け取るように結合され、それぞれのエミッタ電極がそれぞれのエミッタ電流を受け取るように結合され且つ相互コンダクタンス制御抵抗（Ｒ８）を介して互いに結合されている第１（Ｑ３）および第２（Ｑ４）のトランジスタを備え、該第１のトランジスタ（Ｑ３）のコレクタは供給電圧源（＋１２ＶＯＬＴＳ）に結合され、該第２のトランジスタのコレクタは前記相互コンダクタンス増幅器（３０）の出力端子（３５）に結合されている、請求項１に記載の装置。
（請求項６）  前記相互コンダクタンス増幅器（３０）は、前記差動ビデオ入力信号（Ｓ１、Ｓ２）がベース電極に供給される第１（Ｑ３）および第２（Ｑ４）のトランジスタのエミッタ電極間に並列に結合される相互コンダクタンス制御抵抗（Ｒ８）と相互コンダクタンス・ピーキング・コンデンサ（Ｃ１）を備え、前記各トランジスタのコレクタ電極はそれぞれのほぼ等しい一定の電圧を受け取るように結合されている、請求項１に記載の装置。
（請求項７）  定電流源（４０）に結合され、それぞれ（Ｓ１、Ｓ２）の差動入力信号を受け取る第１（３１）および第２（３２）の入力を備え、且つ前記差動入力信号の差に比例すると共に相互コンダクタンス増幅器（３０）内の相互コンダクタンス制御抵抗（Ｒ８）の値に反比例する出力電流（Ｓ３）を発生する出力（３５）を備えている前記相互コンダクタンス増幅器（３０）と、
前記第１（Ｓ１）および第２（Ｓ２）の差動入力信号をそれぞれ前記相互コンダクタンス増幅器（３０）のそれぞれの入力（３１、３２）に結合させる１対のバッファ増幅器であって、各バッファ増幅器は、関連する入力バッファ・トランジスタのＶｂｅｒ  特性の最大値を超える拡張された正の入力電圧範囲が得られるように結合されたダイオード（ＣＲ１、ＣＲ２）を含んでいる前記１対のバッファ増幅器（１０、２０）と、
前記相互コンダクタンス増幅器（３０）の前記出力（３５）に結合され、該相互コンダクタンス増幅器（３０）の出力電圧をほぼ一定値に調整すると共に、負荷抵抗（Ｒ１５）を含み、前記相互コンダクタンス増幅器の前記出力電流（Ｓ３）を該出力電流に比例する出力電圧に変換するための出力回路（５０）とから成る、差動−シングルエンデッド・ビデオ母線受信装置。
（請求項８）  前記出力回路は、前記相互コンダクタンス増幅器の前記出力電流および供給される零入力電流を受け取るように結合された入力を備え、且つ負荷抵抗を介して基準電位源（３）に結合されて前記ビデオ出力信号電圧を発生する出力を備えるベース接地増幅器（Ｑ７）を含んでいる、請求項７に記載の装置。
（請求項９）  前記出力回路は、前記相互コンダクタンス増幅器の前記出力信号電流および供給される零入力バイアス電流を受け取るように結合された入力を備え且つ負荷抵抗を介して基準電位点に結合された出力を備える電流ミラー増幅器を含んでいる、請求項７に記載の装置。